(57)【要約】【課題】  早漏の男性機能障害者を補助あるいは助長する目的で、装着性を主眼に開発され、着用には無害である上に、違和感も感じず、持続使用することにより、男性機能回復が期待できる早漏防止、包茎矯正、男性機能促進用具に関する。【解決手段】  柔軟素材からなる各形状のシートに形成し、これを性行為のときに男性器に装着する。敏感部分の刺激を低減して勃起状態の持続時間を長くし、物理的に体を鍛え、正常な性生活を取戻すことができる。しかも装着性が優れる早漏防止、包茎矯正、男性機能促進用具を提供する。【選択図】図５
2011160902.tif 000002
【特許請求の範囲】
【請求項１】
軟質弾性材をシート状に形成する早漏防止、包茎矯正、男性機能促進用具。
【請求項２】
軟質弾性材をシート状に形成し、上に空気穴を設ける早漏防止、包茎矯正、男性機能促進用具。
【請求項３】
軟質弾性材をシート状に形成し、上に空気穴と波状などの突起部分を設ける早漏防止、包茎矯正、男性機能促進用具。
【請求項４】
軟質弾性材をシート状に形成し、上に空気穴と波状などの突起部分を設けて、装着性が優れる早漏防止、包茎矯正、男性機能促進用具。
【請求項５】
軟質弾性材をシート状に形成し、上に空気穴と波状などの突起部分を設けて、樹脂を適切に調整した脱落しにくく装着性が優れる早漏防止、包茎矯正、男性機能促進用具。
【請求項６】
厚さは０．０１−１０ｍｍの軟質弾性材をシート状に形成し、上に空気穴と波状などの突起部分を設けて、樹脂を適切に調整した脱落しにくく装着性が優れている早漏防止、包茎矯正、男性機能促進用具。
【発明の詳細な説明】
【技術分野】
【０００１】
この発明は、男性機能衰退及び包茎などの障害を補助することに関し、性行為中男性器に装着し、男性器の大きさを問わず、装着性が優れ、持続使用することにより、男性機能の促進及び包茎矯正させる機能を持つ早漏防止、包茎矯正、男性機能促進用具に関する。
【背景技術】
【０００２】
スピーティな現代社会、多忙な生活形態などに生じた人間のストレスなどを原因に神経障害、機能障害等の症状を持つ男性が増加している。性不全者が増える一方で、正常な夫婦生活が崩れ、家庭崩壊、少子化などの近代社会の抱える重大な社会問題と繋がる。
【０００３】
従来、性機能障害者は内科的（薬物）および外科的（手術）により医学的に治療されるものと思われてきた。最近バイアグラなる薬物が発売されるようになり、国内の臨床試験では７０％に勃起効果があつたと言う。ところが、このバイアグラには、副作用が伴い、心臓病や高血圧や極度の疲労で心臓が弱っている時等では、死に至る事例が少なくありません。したがつて、糖尿病による神経障害・末梢循環不全など器質性疾患や心臓病の患者には服用を避けるべきである。勃起効果だけを望み、自身の健康状態を把握せずに服用することは禁物である、しかも高価である。特に薬物の乱用は非常に危険を伴う行為だと認識している。
【０００４】
一方、近視や遠視者は、医学的治療によらずに焦点の合致した眼鏡を使用すれば本来の目的を達成することができる。難聴者が補聴器を使用するのも同様の医療行為を伴わない補助器具である。このような人間の体内の医学的治療でなく、代わりに補助器具を使用して肉体的不全をサポートし、機能改善の目的を達成することに補助器具の本義がある。
男性機能補助や包茎矯正の用具は様々な物が提案されている。たとえば、下記の特許文献１には、変形二重リングを採用した包茎矯正リングが開示されており、下記の特許文献２には、男性器の血液の環流を阻止する男性機能補助リングが開示されており、特許文献３には、男性機能補助リングが開示されている。
【先行技術文献】
【特許文献】
【０００５】
【特許文献１】特許公開２００７−１４４０８８号公報
【特許文献２】特許公開２００４−９７７３１号公報
【特許文献３】特許公開２００３−１３５５０１号公報
【発明の概要】
【発明が解決しようとする課題】
【０００６】
現在市販されている様々な男性機能補助及び包茎矯正用具の多くは、リング状に磁石などを入れた物で男性器の血流を阻止したり逆に血流を促したりすることによる改善の理由は指摘されている。一部の被験者については有効に作用することが認められるが、実際に使用経験者は望む効果が求められなかった。装着性も指摘されている。
【課題を解決するための手段】
【０００７】
そこで、本発明は、従来提案されている男性機能促進リングや包茎矯正リングとは別のメカニズムによる男性機能促進や包茎矯正効果が期待できる新規な男性器機能促進及び包茎矯正用具を提供することを目的とする。
この発明は従来例の以上の欠点を解消しようとするもので、使用者のペニスとの一体感があって無理なく性行為を行なうことができ、しかも使用中に外れにくい装着性も優れる早漏防止、包茎矯正、男性機能促進用具を提供しようとするものである。
【０００８】
すなわち、柔軟素材からなる各形状のシートに形成し、上に空気穴と波状などの部分を設けて脱落しにくい早漏防止、包茎矯正、男性機能促進用具である。これを性行為の際に男性器に装着し、亀頭の刺激を低減して勃起状態の持続時間を長くし、物理的に体を鍛え、正常な性生活を取戻すことができる。しかも装着性が優れた早漏防止、包茎矯正、男性機能促進用具を提供する。
【発明の効果】
【０００９】
国語辞典にも記載されているように早漏とは精神面によるものも多く、その改善にあたっては、肉体面、精神面、両面から改善していくべきである。つまり、ペニスへの性的刺激に慣れて肉体的に順応していきながら、性行為の持続時間を長くし、双方を満足させる事等で、精神的にも、男性が自信を取り戻しながら、早漏の防止と改善をしていくべきである。
この発明は以上のように構成したので、使用者のペニスとの一体感があって無理なく性行為を行なうことができ、しかも使用中に外れにくい装着性も優れる早漏防止、包茎矯正、男性機能促進用具を提供することができる。
また、装着時の操作が簡単で性行為を停滞させることがなく、また性行為中での亀頭の刺激を低減して勃起状態の持続時間を長くし、物理的に体を鍛え、男性機能回復して正常な性生活を与えることのできる早漏防止、包茎矯正、男性機能促進用具を提供することができる。
【図面の簡単な説明】
【００１０】
【図１】本発明図例１の正面図である。
【図２】本発明図例１の断面図である。
【図３】本発明図例２の正面図である。
【図４】本発明図例２の断面図である。
【図５】本発明使用時のイメージ図である。
【発明を実施するための形態】
【実施例】
【００１１】
本発明の早漏防止、包茎矯正、男性機能促進用具をペニス亀頭部に包皮が被っていない状態で刺激敏感の部分、普段は亀頭部と根元の間に貼り付けて装着する。シート状になっていることで亀頭部と根元の間に縦方向に貼る、あるいは横方向に巻き込んで貼り付けて装着する。
【００１２】
当該実施例に係る早漏防止、包茎矯正、男性機能促進用具を１０名の被験者の男性器に週３回程度装着させて実験を６ヶ月間行ったところ、１０名中９名の被験者から、男性機能回復もしくは包茎矯正効果が自覚できる旨の回答が得られた。早漏現象を完全解消した、夫婦間円滑な性生活に取戻れ、良好な結果を得た。最も重要なのは被験者男性の全員から性行為に対する自信が取り戻すことができたと回答された。
【００１３】
本発明の早漏防止、包茎矯正、男性機能促進用具は以上のように構成したので、使用者のペニスとの一体感があって無理なく性行為を行なうことができ、しかも使用中に外れにくい装着性も優れる早漏防止、包茎矯正、男性機能促進用具を提供することができる。
また、装着時の操作が簡単で性行為を停滞せず、性行為中での亀頭の刺激を低減して勃起状態の持続時間を長くし、正常な性生活を与えることのできる早漏防止、包茎矯正、男性機能促進用具を提供することができる。
本発明の早漏防止、包茎矯正、男性機能促進用具において、使用されるシリコンゴム、ウレタンゴムなどの柔軟性材料は人間に対して無害であり、その上肌触りや弾力性、体感温度等において限りなく人間の皮膚に近く製作されている。したがって双方とも、如何なる違和感も感じることなく、満足感が得られる。同様に本発明の早漏防止、包茎矯正、男性機能促進用具を装着した使用者は、密着性がよいため、違和感を感じたり、精神による負荷を感じることもない。
【符号の説明】
【００１４】
１  空気穴
２  突起部
３  線状突起部分
【図１】
2011160902.tif 000003
【図２】
2011160902.tif 000004
【図３】
2011160902.tif 000005
【図４】
2011160902.tif 000006
【図５】
2011160902.tif 000007